(57)【要約】【課題】ＡＬＣに対して直接Ｃチャンネルを固定可能とし、従来のような大掛かりな穴開け工事をなくすことができ、作業にかかる手間と時間を削減できる。【解決手段】建築物の壁等を構成するＡＬＣ１を改築材料により改築する方法において、ＡＬＣ１内に埋設されている既設の鉄筋９の一部が露出するまでＡＬＣ１を掘り込み、次いでＡＬＣ１の改修面に沿って延設される横胴縁を構成するＣチャンネル２を上記露出した鉄筋９部分に固定した後、Ｃチャンネル２と交差する方向に延びた縦胴縁３をＣチャンネル２に固定した後、縦胴縁３に対して改築材料１０を取り付ける。【選択図】        図１
2004150044.tif 000002
【特許請求の範囲】
【請求項１】
建築物の壁等を構成するＡＬＣを改築材料により改築する方法において、ＡＬＣ内に埋設されている既設の鉄筋の一部が露出するまでＡＬＣを掘り込み、次いでＡＬＣの改修面に沿って延設される横胴縁を構成するＣチャンネルを上記露出した鉄筋部分に固定した後、Ｃチャンネルと交差する方向に延びた縦胴縁をＣチャンネルに固定した後、縦胴縁に対して改築材料を取り付けることを特徴とするＡＬＣの改築方法。
【請求項２】
建築物の壁等を構成するＡＬＣを改築材料により改築する構造において、ＡＬＣの改修面に沿って延設されると共にＡＬＣ内に埋設されている既設の鉄筋の一部に固定される横胴縁を構成するＣチャンネルと、改築材料が取り付けられる縦胴縁と、縦胴縁をＣチャンネルに取り付けるための胴縁取付具とを具備してなることを特徴とするＡＬＣの改築構造。
【請求項３】
胴縁取付具は、縦胴縁に嵌め込まれて固定されるコ字状弾性体と、Ｃチャンネルに係止される係止部とで構成されていることを特徴とする請求項２記載のＡＬＣの改築構造。
【請求項４】
胴縁取付具の係止部は、Ｃチャンネルの上下両端のリップ部のいずれか一方に係止される突起と、いずれか他方の背面に係止する上下移動自在な弾性係止片とを備えることを特徴とする請求項３記載のＡＬＣの改築構造。
【請求項５】
胴縁取付具の係止部は、Ｃチャンネルの上下両端のリップ部のいずれか一方の背面に係止され且つ縦胴縁との間でリップ部を挟持する挟持片を備えることを特徴とする請求項３記載のＡＬＣの改築構造。
【請求項６】
胴縁取付具の係止部は、Ｃチャンネルの上下両端のリップ部間に弾入され且つバネ力で各リップ部の背面にそれぞれ係止される上下一対のＬ字状弾性腕を備えることを特徴とする請求項３記載のＡＬＣの改築構造。
【請求項７】
胴縁取付具の係止部は、互いに平行な上下移動自在な上下一対のガイド片と、ガイド片から突出してＣチャンネルの上下両端のリップ部の背面に当接する上下一対の抜け防止片とを備えることを特徴とする請求項３記載のＡＬＣの改築構造。
【請求項８】
胴縁取付具のコ字状弾性体は、縦胴縁との間に隙間が確保されると共に、縦胴縁に弾接する弾接部と、縦胴縁にビス等で固定される固定部とを備えていることを特徴とする請求項３乃至請求項７のいずれかに記載のＡＬＣの改築構造。
【発明の詳細な説明】
【０００１】
【発明の属する技術分野】
本発明は、建築物の壁、屋根等を構成するＡＬＣ（軽量気泡発泡コンクリート）の改築方法及びその改築構造に関するものである。
【０００２】
【従来の技術】
従来から、建築物の壁、屋根等を構成するＡＬＣ（軽量気泡発泡コンクリート）の改築工事においては、ＡＬＣ自体の経年変化で、ＡＬＣに対して直接、改築材料（外装材）を結合することは不可能であった。つまり、ＡＬＣの改修には塗装による改修のみが可能で、塗装により防水性を確保していた。
【０００３】
そこで、従来、ＡＬＣに改築材料（外装材）を取り付ける方法として、ＡＬＣに貫通穴をあけてこの貫通穴に支持金具を貫通させ、支持金具の後端部をＡＬＣ下地に対して溶接等で固定し、支持金具の前端部をＡＬＣの改修面に沿って延設されるＣチャンネルに対して溶接等で固定し、このＣチャンネルに対して改築材料を固定する方法が知られている（例えば特許文献１参照）。
【０００４】
【特許文献１】
特許第３２９２８２５号公報
【０００５】
【発明が解決しようとする課題】
ところが、上記特許文献１に見られる従来例では、ＡＬＣに対して直接、Ｃチャンネルを固定するものではなく、ＡＬＣに貫通穴をあけ、ＡＬＣ下地に対してＣチャンネルを固定しているため、穴開け工事が大掛かりなものとなり、作業に多大な手間と時間がかかるという問題を有していた。
【０００６】
本発明は、上記の従来例の問題点に鑑みて発明したものであって、その目的とするところは、ＡＬＣに対して直接Ｃチャンネルを固定可能とし、従来のような大掛かりな穴開け工事をなくすことができ、作業にかかる手間と時間を削減できるＡＬＣ壁の改築方法及びその改築構造を提供することにあり、他の目的とするところは、断熱性能の向上及び結露防止を図ることができ、さらに、Ｃチャンネルと縦胴縁との連結作業がきわめて簡単且つ確実にできるＡＬＣ壁の改築方法及びその改築構造を提供することにある。
【０００７】
【課題を解決するための手段】
上記課題を解決するために請求項１記載の発明にあっては、建築物の壁等を構成するＡＬＣ１を改築材料により改築する方法において、ＡＬＣ１内に埋設されている既設の鉄筋９の一部が露出するまでＡＬＣ１を掘り込み、次いでＡＬＣ１の改修面１ａに沿って延設される横胴縁を構成するＣチャンネル２を上記露出した鉄筋９部分に固定した後、Ｃチャンネル２と交差する方向に延びた縦胴縁３をＣチャンネル２に固定した後、縦胴縁３に対して改築材料１０を取り付けることを特徴とする。
【０００８】
また請求項２記載の発明にあっては、建築物の壁等を構成するＡＬＣ１を改築材料１０により改築する構造において、ＡＬＣ１の改修面１ａに沿って延設されると共にＡＬＣ１内に埋設されている既設の鉄筋９の一部に固定される横胴縁を構成するＣチャンネル２と、改築材料１０が取り付けられる縦胴縁３と、縦胴縁３をＣチャンネル２に取り付けるための胴縁取付具４とを具備してなることを特徴とする。
【０００９】
このような請求項１の方法、請求項２の構造を採用することで、ＡＬＣ１内に埋設されている既設の鉄筋９を利用してＣチャンネル２を固定するだけで、ＡＬＣ１に対して直接、Ｃチャンネル２が固定可能となる。そのうえ、鉄筋９の一部が露出するまでＡＬＣ１の改修面１ａの一部を掘り込むだけでよいため、従来のように、ＡＬＣ１に貫通穴をあけてＡＬＣ下地に対してＣチャンネル２を支持金具を用いて固定する必要がなくなり、改修工事を容易に行なえるようになる。
【００１０】
また請求項３記載の発明は、請求項２において、胴縁取付具４は、縦胴縁３に嵌め込まれて固定されるコ字状弾性体５と、Ｃチャンネル２に係止される係止部６とで構成されていることを特徴とするのが好ましく、この場合、胴縁取付具４をＣチャンネル２に及び縦胴縁３に対してそれぞれ簡単に取り付け可能となると共に、縦胴縁３は鉄製以外に木製のものが使用可能となるため、縦胴縁３の種別選択範囲が広がるうえに、縦胴縁３が熱橋とならず、外装材１０Ａの背面に縦胴縁３による通気性が確保されることとあいまって、断熱性能の向上及び結露防止を図ることができる。
【００１１】
また請求項４記載の発明は、請求項３において、胴縁取付具４の係止部６は、Ｃチャンネル２の上下両端のリップ部７，８のいずれか一方に係止される突起１１と、いずれか他方の背面に係止する上下移動自在な弾性係止片１２とを備えることを特徴とするのが好ましく、この場合、係止部６の突起１１をＣチャンネル２の一方のリップ部７又は８に係止した状態で、弾性係止片１２を上側又は下側に移動させて他方のリップ部８又は７の背面に係止させることで、胴縁取付具４の係止部６をＣチャンネル２に対してワンタッチで且つ確実に係止できるようになる。
【００１２】
また請求項５記載の発明は、請求項３において、胴縁取付具４の係止部６は、Ｃチャンネル２の上下両端のリップ部７，８のいずれか一方の背面に係止され且つ縦胴縁３との間でリップ部７又は８を挟持する挟持片１４を備えることを特徴とするのが好ましく、この場合、Ｃチャンネル２に係止部６を係止させる際に、先ず挟持片１４をリップ部７又は８の背面に挿入して、この挟持片１４と縦胴縁３との間でリップ部７又は８を前後から挟持した状態とし、この状態で、コ字状弾性体５を縦胴縁３に取り付けることにより、胴縁取付具４をＣチャンネル２から脱落しない構造とすることができる。
【００１３】
また請求項６記載の発明は、請求項３において、胴縁取付具４の係止部６は、Ｃチャンネル２の上下両端のリップ部７，８間に弾入され且つバネ力で各リップ部７，８の背面にそれぞれ係止される上下一対のＬ字状弾性腕１８を備えることを特徴とするのが好ましく、この場合、Ｃチャンネル２に係止部６を係止させる際に、先ず一方のＬ字状弾性腕１８を上下両端の一方のリップ部７又は８に挿入係止し、その後、他方のＬ字状弾性腕１８を他方のリップ部８又は７に押し込むことによって、該Ｌ字状弾性腕１８が弾性変形して他方のリップ部８又は７に係止することができる。
【００１４】
また請求項７記載の発明は、請求項３において、胴縁取付具４の係止部６は、互いに平行な上下移動自在な上下一対のガイド片３５と、ガイド片３５から突出してＣチャンネル２の上下両端のリップ部７，８の背面に当接する上下一対の抜け防止片２０とを備えることを特徴とするのが好ましく、この場合、Ｃチャンネル２に係止部６を係止させる際に、上下一対のガイド片３５をＣチャンネル２の上下両端のリップ部７，８間に挿入する。このとき上下の抜け防止片２０がリップ部７，８にそれぞれ係止して、抜け防止片２０による抜け防止効果によって、胴縁取付具４をＣチャンネル２から脱落しない構造とすることができる。
【００１５】
また請求項８記載の発明は、請求項１３乃至請求項７のいずれかにおいて、胴縁取付具４のコ字状弾性体５は、縦胴縁３との間に隙間が確保されると共に、縦胴縁３に弾接する弾接部１６と、縦胴縁３にビス等で固定される固定部１５とを備えていることを特徴とするのが好ましく、この場合、胴縁取付具４のコ字状弾性体５を縦胴縁３に嵌め込む際に、コ字状弾性体５と縦胴縁３との間の隙間によってスムーズに挿入ができ、且つコ字状弾性体５の寸法変動或いは縦胴縁３の寸法変動が大きくても、挿入後はビスで堅固に固定されることとなり、取付剛性を十分に高めることができる。
【００１６】
【発明の実施の形態】
以下、本発明を添付図面に示す実施形態に基づいて説明する。
【００１７】
図１は改築材料１０をＡＬＣ１に直接固定した状態を説明する断面図、図２は胴縁取付具４の説明図である。なお改築材料１０は特に限定されず、例えば金属サイディングなどの外装材１０Ａが広く含まれる。
【００１８】
本実施形態では、建築物の壁体を構成するＡＬＣ１（軽量気泡発泡コンクリート）を改修する方法及びその構造について説明するが、壁以外にＡＬＣ１からなる屋根等にも同様に適用されるものである。
【００１９】
ＡＬＣ１からなる壁（以下、ＡＬＣ壁１Ａ）という。）を改築するにあたって、ＡＬＣ壁１Ａ内に埋設されている既設の鉄筋９の一部に固定される横胴縁を構成する鉄製のＣチャンネル２（Ｃ形軽量形鋼）と、外装材１０Ａが取り付けられる縦胴縁３と、縦胴縁３をＣチャンネル２に取り付けるための胴縁取付具４とが使用される。
【００２０】
ＣチャンネルＡ２は、図１に示すように、垂直部２ａの上フランジ２ｂの上端リップ部７と下フランジ２ｃの下端リップ部８とを屋外側Ａに向けた状態で、ＡＬＣ壁１Ａの改修面１ａに沿って延設され且つその垂直部２ａが溶接ボルト２１の頭部に固定され、溶接ボルト２１の先端部はＡＬＣ壁１Ａの掘り込み部６０内に露出させた鉄筋９部分に対して溶接等で固定されるようになっている。なお、鉄筋９とＣチャンネル２との固定方法としては、溶接、ボルト・ナットによる締結等のいずれであってもよい。
【００２１】
縦胴縁３は、本例では断面矩形状の木製縦胴縁からなり、ＣチャンネルＡ２と交差するように上下方向に延出した状態で、胴縁取付具４を用いてＣチャンネルＡ２に取り付けられるようになっている。なお縦胴縁３として木製のものを例示するが、鉄製のＣチャンネル等であってもよい。この縦胴縁３によって外装材１０Ａの背面に通気性が確保されるようになっている。
【００２２】
本例の胴縁取付具４は、図２に示すように、縦胴縁３に嵌め込まれて固定されるコ字状弾性体５と、Ｃチャンネル２に係止される左右一対の係止部６とが一体に形成されている。この胴縁取付具４は、ＣチャンネルＡ２と縦胴縁３との交差する部分に適宜配置される。
【００２３】
コ字状弾性体５は、縦胴縁３の３面を囲むコ字状に形成された金属材料からなり、縦胴縁３に対してビス等で固定される固定部１５が設けられており、ビス（図示せず）をビス穴１５ａから縦胴縁３に打入することで、コ字状弾性体５が縦胴縁３に対して固定されるようになっている。さらにコ字状弾性体５と縦胴縁３との間には図２（ｂ）に示すように、隙間Ｓが確保されるようになっており、さらにコ字状弾性体５の一部を内側に切り起すことによって縦胴縁３に弾接する弾接部１６が形成されている。ここではコ字状弾性体５のビス穴１５ａの両側位置で内方に向かってハ字状に切り起こされた弾接部１６ａと、コ字状弾性体５の両側面において内方に向かって切り起こされた左右一対の弾接部１６ｂ，１６ｂとを備えている。これにより、コ字状弾性体５を縦胴縁３に挿入する際は、弾接部１６（１６ａ，１６ｂ）が撓むことで簡単に挿入できるようになり、挿入後は、固定部１５によって堅固に固定される構造となる。特に縦胴縁３が寸法変動が大きい木材などからなる場合において、隙間Ｓ及び弾接部１６がその変動を吸収する働きをし、固定部１５がコ字状弾性体５を縦胴縁３に確実に止めつける働きをする。
【００２４】
また、コ字状弾性体５の両端部に設けられる一対の係止部６，６は、同じ構造をしている。係止部６の下部にはＣチャンネル２の下端リップ部８に係止される突起１１が突設されており、係止部６の上部には上下移動自在なバネ片１３の先端から上端リップ部７の背面に向かって突出する弾性係止片１２と、弾性係止片１２と反対側に向かって突出するガイド部１７とが一体に設けられており、ガイド部１７が上端リップ部７に当たることでバネ片１３が下方に撓んで弾性係止片１２が上端リップ部７の背面７ｂに係止できる構造となっている。この弾性係止片１２の効果によって胴縁取付具４は縦胴縁３から脱落しない構造となる。なお本例では、突起１１を下端リップ部８に係止させ、弾性係止片１２を上端リップ部７に係止させているが、逆に、突起１１を上端リップ部７に係止させ、弾性係止片１２を下端リップ部８に係止させる構造とすることも可能である。
【００２５】
次にＡＬＣ壁１Ａの改修工事を行なうにあたっては、先ず、ＡＬＣ１内に埋設されている既設の鉄筋９の一部が露出するまでＡＬＣ１を掘り込み、図１に示す掘り込み部６０を形成した後に、ＡＬＣ壁１Ａの改修面１ａに沿って延設されるＣチャンネル２を露出した鉄筋９部分に前述の溶接ボルト２１を用いて固定する。次いで、縦胴縁３を胴縁取付具４を用いてＣチャンネル２に固定する。ここで、胴縁取付具４の係止部６をＣチャンネル２に係止する際には、係止部６の突起１１をＣチャンネル２の下端リップ部８に係止した状態で、弾性係止片１２を上端リップ部７に向けて押し付ける。このときガイド部１７が上端リップ部７に当たって弾性係止片１２が下側に撓むことで、弾性係止片１２は上端リップ部７の背面７ａに移動可能となり、挿入後はバネ片１３のバネ復帰力で上方にバネ付勢されることで弾性係止片１２は上端リップ部７の背面に係止し、上下両側の係止部６がＣチャンネル２に対して抜け止めされた状態（図１の状態）となる。
【００２６】
一方、コ字状弾性体５を縦胴縁３に固定する際には、コ字状弾性体５を縦胴縁３に嵌め込んでビスで縦胴縁３に対して固定する。これにより、コ字状弾性体５が縦胴縁３に止めつけられた構造となる。なおコ字状弾性体５を縦胴縁３にビス固定する作業は、係止部６をＣチャンネルＡ２に係止する作業の前或いは後のいずれでも可能である。
【００２７】
その後に、図１に示す固定金具１９を用いて縦胴縁３に対して外装材１０Ａを固定する。本例の固定金具１９はプレート状の金具本体１９ａの前面にＬ形保持部１９ｂと逆Ｌ形保持部１９ｃとが突設され、金具本体１９ａを縦胴縁３に釘５０で固定し、上側の外装材１０Ａの下端をＬ形保持部１９ｂに上から嵌合し、下側の外装材１０Ａの上端部を逆Ｌ形保持部１９ｃに下から嵌め込み、最後にコーキング剤３０を充填することで、外装材１０Ａを縦胴縁３に簡単且つ確実に固定できるようになっている。
【００２８】
しかして、ＡＬＣ壁１Ａ内に埋設されている既設の鉄筋９を利用してＣチャンネル２を固定するので、ＡＬＣ壁１Ａに対して直接、Ｃチャンネル２を固定することができる。そのうえ、鉄筋９の一部が露出するまでＡＬＣ壁１Ａを掘り込むだけでよいため、従来のように、ＡＬＣ壁１Ａを貫通する貫通穴をあけてＡＬＣ下地に対してＣチャンネル２を支持金具を用いて固定する必要がなくなる。従って、従来と比較してＡＬＣ壁１Ａの穴開け作業にかかる手間と時間を大幅に削減でき、改修工事を容易に行なうことができる。
【００２９】
また本例では、胴縁取付具４を用いてＣチャンネル２と縦胴縁３との連結作業がきわめて簡単且つ確実にできる。つまり係止部６の突起１１をＣチャンネル２の下端リップ部８に係止した状態で、弾性係止片１２を上端リップ部７に押し付けるだけで、弾性係止片１２が上端リップ部７の背面に係止することとなり、胴縁取付具４の係止部６をＣチャンネル２に対してワンタッチで且つ確実に係止させることができるので、係止作業がきわめて容易となる。
【００３０】
さらに、胴縁取付具４のコ字状弾性体５を縦胴縁３に嵌め込む際に、コ字状弾性体５と縦胴縁３との間の隙間Ｓ（図２）の存在によってスムーズに挿入ができ、且つコ字状弾性体５の寸法変動或いは縦胴縁３の寸法変動が大きくても、挿入後はビスで堅固に固定されることとなり、取付剛性を十分に高めることができ、また地震などにより外装材１０Ａが揺動した場合でも、ＣチャンネルＡ２に対する縦胴縁３の動きが胴縁取付具４によって止められ、耐震性を向上させることができるものである。さらに縦胴縁３は鉄製以外に木製のものが使用可能となるため、縦胴縁３の種別選択範囲が広がるうえに、縦胴縁３が熱橋とならず、外装材１０Ａの背面に縦胴縁３による通気性が確保されることとあいまって、断熱性能の向上及び結露防止を図ることができる。
【００３１】
さらに、コ字状弾性体５の両側に左右一対の係止部６，６をそれぞれ設けているので、縦胴縁３を挟んでその両側で係止部６をそれぞれＣチャンネル２に係止固定できるようになり、Ｃチャンネル２に対する係止部６の係止箇所が増え、確実で且つバランスの良い係止状態が得られるという利点があり、また、Ｃチャンネル２の上下両端のリップ部７，８に対して胴縁取付具４を引掛け係止させる構造であるため、リップ部７，８にビス穴などを穿設する必要がなく、Ｃチャンネル２の穴明けも不要になるという利点もある。
【００３２】
図３、図４は胴縁取付具４の他の実施形態であり、胴縁取付具４の係止部６が、Ｃチャンネル２の上端リップ部７の背面に係止され且つ縦胴縁３との間で上端リップ部７を挟持する挟持片１４を備える場合を示している。挟持片１４を他の構成は図１の実施形態と同様であり、対応する部分には同一符号を付しておく。
本例では、Ｃチャンネル２に係止部６を係止させる際に、先ず挟持片１４を上端リップ部７に挿入して、この挟持片１４と縦胴縁３との間で上端リップ部７を前後から挟持した状態とし、この状態で、コ字状弾性体５の固定部１５をビスで縦胴縁３に固定する。これにより、胴縁取付具４はＣチャンネル２から脱落しない構造となる。また本例では、コ字状弾性体５と縦胴縁３との間に隙間Ｓを確保し、弾接部１６を縦胴縁３に弾接させているため、コ字状弾性体５の縦胴縁３への挿入がスムーズにでき、コ字状弾性体５の寸法変動或いは縦胴縁３の寸法変動が大きくても、挿入後はビスで堅固に固定されることとなる。さらに本例ではコ字状弾性体５の下端縁に左右一対の爪部７０，７０を屈曲形成し、爪部７０を縦胴縁３に食い込ませるようにしているため、コ字状弾性体５の取付剛性を更に高めることができるものである。なお、本例では係止部６の上部のみに挟持片１４を設けているが、下部のみに挟持片１４を設けて、下端リップ部８に係止させることも可能である。
【００３３】
図５、図６は胴縁取付具４の更に他の実施形態であり、胴縁取付具４の係止部６が、Ｃチャンネル２の上下両端のリップ部７，８間に弾入され且つバネ力で各リップ部７，８の背面にそれぞれ係止される上下一対のＬ字状弾性腕１８を備える場合を示している。他の構成は図１の実施形態と同様であり、対応する部分には同一符号を付しておく。本例では、Ｃチャンネル２に係止部６を係止させる際に、先ず下側のＬ字状弾性腕１８を下端リップ部８に挿入係止し、その後、上側のＬ字状弾性腕１８を上端リップ部７に押し込むことによって、Ｌ字状弾性腕１８が弾性変形して上端リップ部７に係止することができる。従って、上下のＬ字状弾性腕１８がＣチャンネル２内に押し込まれた後は、Ｌ字状弾性腕１８による抜け防止効果によって、胴縁取付具４はＣチャンネル２から脱落しない構造となる。また本例では、コ字状弾性体５と縦胴縁３との間に隙間Ｓ１，Ｓ２を確保し、弾接部１６を縦胴縁３に弾接させているため、コ字状弾性体５の縦胴縁３への挿入がスムーズにでき、コ字状弾性体５の寸法変動或いは縦胴縁３の寸法変動が大きくても、挿入後はビスで堅固に固定されることとなる。
【００３４】
図７、図８は胴縁取付具４の更に他の実施形態であり、胴縁取付具４の係止部６が、互いに平行な上下移動自在な上下一対のガイド片３５と、ガイド片３５から突出してＣチャンネル２の上下両端のリップ部７，８の背面に当接する上下一対の抜け防止片２０を備える場合を示している。各ガイド片３５の先端には互いに近接する方向に屈曲した案内部３１が形成されている。他の構成は図１の実施形態と同様であり、対応する部分には同一符号を付しておく。本例では、Ｃチャンネル２に係止部６を係止させる際に、上下一対のガイド片３５をＣチャンネル２の上下両端のリップ部７，８間に挿入する。このとき先端の案内部３１によって挿入がスムーズとなる。また挿入された後は、上下の抜け防止片２０が上端リップ部７及び下端リップ部８にそれぞれ係止し、抜け防止片２０による抜け防止効果によって、胴縁取付具４はＣチャンネル２から脱落しない構造となる。また本例では、コ字状弾性体５と縦胴縁３との間に隙間Ｓを確保し、弾接部１６を縦胴縁３に弾接させているため、コ字状弾性体５の縦胴縁３への挿入がスムーズにでき、コ字状弾性体５の寸法変動或いは縦胴縁３の寸法変動が大きくても、挿入後はビスで堅固に固定されることとなる。
【００３５】
なお、前記各実施形態では、コ字状弾性体５の両側に一対の係止部６，６をそれぞれ設けた場合を例示したが、他例としてコ字状弾性体５の片側に１つの係止部６を設けた構造であってもよい。
【００３６】
【発明の効果】
上述のように請求項１記載の発明にあっては、建築物の壁等を構成するＡＬＣを改築材料により改築する方法において、ＡＬＣ内に埋設されている既設の鉄筋の一部が露出するまでＡＬＣを掘り込み、次いでＡＬＣの改修面に沿って延設される横胴縁を構成するＣチャンネルを上記露出した鉄筋部分に固定した後、Ｃチャンネルと交差する方向に延びた縦胴縁をＣチャンネルに固定した後、縦胴縁に対して改築材料を取り付けることを特徴とする。
【００３７】
また請求項２記載の発明にあっては、建築物の壁等を構成するＡＬＣを改築材料により改築する構造において、ＡＬＣの改修面に沿って延設されると共にＡＬＣ内に埋設されている既設の鉄筋の一部に固定される横胴縁を構成するＣチャンネルと、改築材料が取り付けられる縦胴縁と、縦胴縁をＣチャンネルに取り付けるための胴縁取付具とを具備してなることを特徴とする。
【００３８】
このような請求項１の方法、請求項２の構造を採用することで、ＡＬＣ内に埋設されている既設の鉄筋を利用してＣチャンネルを固定するだけで、ＡＬＣに対して直接、Ｃチャンネルが固定可能となる。そのうえ、鉄筋の一部が露出するまでＡＬＣの改修面の一部を掘り込むだけでよいため、従来のように、ＡＬＣに貫通穴をあけてＡＬＣ下地に対してＣチャンネルを支持金具を用いて固定する必要がなくなる。従って、従来と比較してＡＬＣの穴開け作業にかかる手間と時間を大幅に削減でき、改修工事を容易に行なえるものである。
【００３９】
また請求項３記載の発明は、請求項２記載の効果に加えて、胴縁取付具は、縦胴縁に嵌め込まれて固定されるコ字状弾性体と、Ｃチャンネルに係止される係止部とで構成されているので、Ｃチャンネルのリップ部にビス穴などを穿設したりする必要がなく、胴縁取付具をＣチャンネルに及び縦胴縁に対してそれぞれ簡単に取り付け可能となる。しかも、縦胴縁は鉄製以外に木製のものが使用可能となるため、縦胴縁の種別選択範囲が広がるうえに、縦胴縁が熱橋とならず、外装材の背面に縦胴縁による通気性が確保されることとあいまって、断熱性能の向上及び結露防止を図ることができる。
【００４０】
また請求項４記載の発明は、請求項３記載の効果に加えて、胴縁取付具の係止部は、Ｃチャンネルの上下両端のリップ部のいずれか一方に係止される突起と、いずれか他方の背面に係止する上下移動自在な弾性係止片とを備えるので、係止部の突起をＣチャンネルの一方のリップ部に係止した状態で、弾性係止片を上側又は下側に移動させて他方のリップ部の背面に係止させることで、胴縁取付具の係止部をＣチャンネルに対してワンタッチで且つ確実に係止できる。従って、胴縁取付具を用いてＣチャンネルと縦胴縁との連結作業がきわめて簡単且つ確実にできると共に、弾性係止片を上下移動自在としたので、Ｃチャンネルの上下のリップ部間の寸法のバラツキ等にも容易に対処できるものである。
【００４１】
また請求項５記載の発明は、請求項３記載の効果に加えて、胴縁取付具の係止部は、Ｃチャンネルの上下両端のリップ部のいずれか一方の背面に係止され且つ縦胴縁との間でリップ部を挟持する挟持片を備えるので、Ｃチャンネルに係止部を係止させる際に、先ず挟持片をリップ部の背面に挿入して、この挟持片と縦胴縁との間でリップ部を前後から挟持した状態とし、この状態で、コ字状弾性体を縦胴縁に取り付けることにより、胴縁取付具をＣチャンネルから脱落しない構造とすることができる。
【００４２】
また請求項６記載の発明は、請求項３記載の効果に加えて、胴縁取付具の係止部は、Ｃチャンネルの上下両端のリップ部間に弾入され且つバネ力で各リップ部の背面にそれぞれ係止される上下一対のＬ字状弾性腕を備えるので、Ｃチャンネルに係止部を係止させる際に、先ず一方のＬ字状弾性腕を上下両端の一方のリップ部に挿入係止し、その後、他方のＬ字状弾性腕を他方のリップ部に押し込むことによって、Ｌ字状弾性腕が弾性変形して他方のリップ部に係止することができる。従って、上下のＬ字状弾性腕がＣチャンネル内に押し込まれた後は、Ｌ字状弾性腕による抜け防止効果によって、胴縁取付具をＣチャンネルから脱落しない構造とすることができる。
【００４３】
また請求項７記載の発明は、請求項３記載の効果に加えて、胴縁取付具の係止部は、互いに平行な上下移動自在な上下一対のガイド片と、ガイド片から突出してＣチャンネルの上下両端のリップ部の背面に当接する上下一対の抜け防止片とを備えるので、Ｃチャンネルに係止部を係止させる際に、上下一対のガイド片をＣチャンネルの上下両端のリップ部間に挿入する。このとき上下の抜け防止片が上端リップ部及び下端リップ部にそれぞれ係止して、抜け防止片による抜け防止効果によって、胴縁取付具をＣチャンネルから脱落しない構造とすることができる。
【００４４】
また請求項８記載の発明は、請求項１３乃至請求項７のいずれかに記載の効果に加えて、胴縁取付具のコ字状弾性体は、縦胴縁との間に隙間が確保されると共に、縦胴縁に弾接する弾接部と、縦胴縁にビス等で固定される固定部とを備えているので、胴縁取付具のコ字状弾性体を縦胴縁に嵌め込む際に、コ字状弾性体と縦胴縁との間の隙間によってスムーズに挿入ができ、且つコ字状弾性体の寸法変動或いは縦胴縁の寸法変動が大きくても、挿入後はビスで堅固に固定されることとなり、取付剛性を十分に高めることができ、また地震などにより外装材が揺動した場合でも、Ｃチャンネルに対する縦胴縁の動きが胴縁取付具によって止められ、耐震性を向上させることができるものである。
【図面の簡単な説明】
【図１】本発明の一実施形態の断面図である。
【図２】（ａ）は同上の胴縁取付具の正面図、（ｂ）は平面図である。
【図３】本発明の他の実施形態の断面図である。
【図４】（ａ）は同上の胴縁取付具の正面図、（ｂ）は平面図である。
【図５】本発明の更に他の実施形態の断面図である。
【図６】（ａ）は同上の胴縁取付具の正面図、（ｂ）は平面図である。
【図７】本発明の更に他の実施形態の断面図である。
【図８】（ａ）は同上の胴縁取付具の正面図、（ｂ）は平面図である。
【符号の説明】
１  ＡＬＣ
１Ａ  ＡＬＣ壁
２  Ｃチャンネル
３  縦胴縁
４  胴縁取付具
５  コ字状弾性体
６  係止部
７  上端リップ部
８  下端リップ部
９  鉄筋
１０  改築材料
１１  突起
１２  弾性係止片
１４  挟持片
１５  固定部
１６  弾接部
１８  Ｌ字状弾性腕
２０  抜け防止片
３５  ガイド片
【図１】
2004150044.tif 000003
【図２】
2004150044.tif 000004
【図３】
2004150044.tif 000005
【図４】
2004150044.tif 000006
【図５】
2004150044.tif 000007
【図６】
2004150044.tif 000008
【図７】
2004150044.tif 000009
【図８】
2004150044.tif 000010